(57)【要約】  座面は、１０度から１７０度の中心角を有する二つの同心の円形アーチにより画成される少なくとも一つの扁平ブランク（２）の弾性変形により形成された形状を有し、その端縁部は、接線により伸長し法線により終了する。ブランク（２）は、支持構造体（５）の少なくとも三点で扁平ブランク（２）を固定することにより座面（１）の形状にと弾性変形する。座面は、成形品として作ることができ、又は一層の弾性材料若しくはサンドイッチ型材料から作ることができる。座面は、使用者の体形と寸法に最大限適応することができる。
2007515187.tif 000002
【特許請求の範囲】
【請求項１】
座面（１）が少なくとも単一片からなる少なくとも一つの扁平ブランク（２）の弾性変形により形成された形状を有し、中心角度α＝１０度から１７０度の二つの同心円形アーチ（２.１、２.２）とアーチ（２.１、２.２）の終点（Ａ，Ａ’,Ｂ，Ｂ’）に延在する接線（ｔ1、ｔ2、ｔ’1、ｔ’2）により境界が定められ、且つブランク（２）の両端における法線（ｎ1、ｎ2）により画成され、法線（ｎ1、ｎ2）は頂点Ｖを有する円錐面において変形状態にあり、Ｙ＝０度から１０度の頂点角を有する両方の法線（ｎ1、ｎ2）の内側両端の接続線の中心にあり、鉛直な対称面を有する座面（１）の交差線は、基準面で１５度から９０度の角度を形成することを特徴とする椅子家具の固定構造体又は可動構造体に取付けられる座面。
【請求項２】
扁平ブランク（２）の座面（１）の形状への弾性変形は、扁平ブランク（２）を支持構造体（５）の少なくとも三点において固定し、すなわち、法線（ｎ1、ｎ2）により固定することによりさらに中心部（３）に固定することにより得られることを特徴とする請求項１に記載の座面。
【請求項３】
支持構造体（５）に摺動固定するために固定部（４.１）を取付けた少なくとも一つのスリーブ（４）は座面（１）の中心部（３）に位置づけられることを特徴とする請求項１及び２に記載の座面。
【請求項４】
要部（４.１）には、ヒンジを取付けてスリーブ（４）がジョイントにより全ての方向に揺動することを特徴とする請求項３に記載の座面。
【請求項５】
座面（１）が、扁平ブランク（２）の二つの部分（２.３、２.４）からなり、両方の部分（２.３、２.４）は、互いに適合性があり、構造体（６）に接触する部分で固着され、座面（１）の幅「ｗ」を変化させることができることを特徴とする請求項１乃至４に記載の座席部分。
【請求項６】
座面（１）は、成形品として形成されることを特徴とする請求項１乃至５に記載の座面。
【請求項７】
扁平ブランク（２）は、一層の弾性材料からなることを特徴とする請求項１乃至５に記載の座面。
【請求項８】
扁平ブランク（２）は、サンドイッチ型材料からなることを特徴とする請求項１乃至５に記載の座面。
【請求項９】
扁平ブランク（２）のリム部は、変成形状であることを特徴とする請求項１乃至８に記載の座面。
【発明の詳細な説明】
【技術分野】
【０００１】
本発明の対象である座面は、座具に関する技術分野に属し、学校、職場、家庭、仕出し機関、輸送車両、及び長時間の着座を要する特別な職場で用いられる。
【背景技術】
【０００２】
肛門及び生殖器の位置に対応する部分が、自由空間となり且つ／又は様々な厚さを有する挿入面を使って自由空間となり得る小形部を設けた椅子による解決方法が知られている。代替的解決手段として、挿入面を連続的に置換可能とする。この解決策は、独国実用新案第9416674.9号明細書の記載から知られている。そこには、肛門口、生殖器及び尾骨の位置に凹所を有し、大腿骨部分を回転部により安定化させて身体障害者の動作を制限する座面の解決策が開示されている。
【０００３】
独国特許第441479号明細書は、解決策として二つの傾斜面からなる座面を開示する。米国特許第4643481号明細書の解決策は、大腿部が安定するように大腿部の位置に対して二つの通路のような部分で構成される座面であって、肛門口の部分では、座面はきのこ形状のまっすぐな開口部を有している。座席部分は、傾けることができる。
【０００４】
先に述べた解決策は、身体障害者にとってのみ適切であり、その目的は座っている人の座っている部分の動作を制限することにある。これらは、疾病、とりわけ例えば椅子、肘掛け椅子などの座席に長時間座ることから生じる疾病の原因を解決することはない。それら制限は複雑な構造であり、また、全体の外観に影響を及ぼしている。
【０００５】
公知の解決方法の考えられる欠点は、座面がそれ自体の形態を使用者の体形や寸法に全く適応させることができないか不十分にしか適応させることができない硬直的構成として設計されているということである。それらは、解剖学的な体形や寸法に適応させることができないために、長時間の着席から生じる本質的な問題の真に完全な解決策をもたらすものではない。
【発明の開示】
【０００６】
公知の座面の制約、とりわけほとんど身体障害者のみに限られる座面の利用、その複雑な構造、座っている人の生理学的指標を反映するのには通常不十分な美的意匠の可能性の低さは、大方において本発明に記載の解決方法により除去され、本発明の基本概念は、座面が少なくとも一つのそして少なくとも単一部が扁平のブランクの弾性変形により形成される形状を有するものである。
【０００７】
扁平ブランクは、１０度から１７０度の中心角を有する二つの同心円形アーチにより画成され、アーチの端縁部でその接線として延在し、接線の端縁部で法線により終了する。
【０００８】
扁平なブランクの変形は、支持構造体の少なくとも三点で固定することにより得られる。ブランクの端縁部の固定、すなわち、法線を固定することにより、法線は法線の内側端縁部の連結線の中心における頂点と０度から１０度の頂点角を有する円錐状面上に支持される。第三の固定点は、中心部分、すなわちアーチの頂点に位置する。固定後、座席部分の交差線は、垂直な対称面及び水平面で１５度から９０度の角度を形成する。中心部分において、少なくとも一本のスリーブが設置され、このスリーブに要素を取付け、好適には支持構造体上の移動及び揺動の自由を付与して固着することによりスリーブがあらゆる方向に揺動運動することができるようにする。
【０００９】
座面の幅を変更することが必要な場合、座面を扁平ブランクの二つの部分から形成することができる。前記部分の端縁部は、接点において互いに互換性を持たせ、組み立て物として固定されて前記部分の端縁部間の距離を変化させる。
【００１０】
座面は、成形品として作ることができ、又は一層の弾性材料若しくはサンドイッチ型材料から、又はそれらの組み合わせにより製造することができる。
【００１１】
全ての変成品において、ブランクすなわち部分リムは、変成された形状として形成できる。
【００１２】
発明の内容を、添付図面を参照してより詳細に説明する。
【実施例】
【００１３】
実施例１
実施例は、肘掛け椅子５の支持構造上に固定される座面１を示す。座面の基本的な寸法は、
座面の幅  ｗ＝４５０ミリメートル
内側接線の間隔  ｄ＝１１０ミリメートル
座席部分の奥行き  ｈ＝４５０ミリメートル
中心角  α＝９０度
交差線の角度  β＝７０度
【００１４】
支持構造体５は、高さ支持チューブ５．１からなり、その両端部に肘掛け椅子の脚部５.２が固着される。支持チューブ５.１の中間には、支持ブラケット５.３を固着する。ブランク２は、その中心部３にスリーブ４を取付け、その上に係止部材４.１を取付ける。
【００１５】
ブランク２の弾性変形は、ブラケット５.３に以下の要領で固定することにより得られる。すなわち、法線ｎ1、ｎ2の端縁部を支持チューブ５.１に固着し、その中心部３をスリーブ４と係止部材４.１を使用して取付ける。係止部材４．１は、摺動ヒンジによりブラケット５．３上に保持され、その振動運動を自由にする。実施例は、角度β＝７０度を示す。座面１は、単一層の弾性材料からなる。
【００１６】
実施例２
実施例は、肘掛け椅子を示し、支持構造体５と実施例１と同じ大きさと形状の座面１を有する。座面１は、二つの部分２.３、２.４からなるブランク２で構成され、二つの部分２.３、２.４の接合は、構造体６により行なわれ、前記部分の両端の間隔を変化させることにより座面１を拡張したり縮小させる。構造体６は、支持構造体５のブラケット５.３に移動自在に取付けられスリーブ４に置換する。構造体６の単純な実施として、同一の間隔をそれぞれ有する二つの開口部２.３１、２.３２及び２.４１、２.４２は、部分２.３、２.４の両端が適合するよう変形されて形成される。重ね板６.１は、留めネジ６.３及びネジ６.２によりブラケット５.３に固定され、ネジ６.２は、開口部２.３１又は２.３２及び２.４１又は２.４２をそれぞれ適切に選択することにより取り付けられる。
【図面の簡単な説明】
【００１７】
【図１】扁平ブランクの略図である。
【図２】変形ブランクの略図である。
【図３】座面を有する肘掛け椅子の側面図である。
【図４】座面を有する肘掛け椅子の平面図である。
【図５】基本位置における構造を示す。
【図６】座面の両端の第一増大間隔を有する構造を示す。
【図１】
2007515187.tif 000003
【図２】
2007515187.tif 000004
【図３】
2007515187.tif 000005
【図４】
2007515187.tif 000006
【図５】
2007515187.tif 000007
【図６】
2007515187.tif 000008
【国際調査報告】
2007515187.tif 000009
2007515187.tif 000010